(57)【要約】      （修正有）【課題】重量を軽減し、省エネで、放熱効果が良好で、カラー変化を有し使用の安全性が高いＬＥＤバルブを提供する。【解決手段】このＬＥＤバルブは電気コネクタ、座体、回路板及びランプカバーを包含し、該電気コネクタは内が凹んだ中空状とされ、中段部分に環状に螺旋溝が形成され、座体は塑性材料で形成され、座体下端部分に環状頸部が設けられ、環状頸部の外周に螺旋溝が環状に設けられ、電気コネクタ内に嵌合され、回路板は座体の上端に設けられ、回路板上に発光ダイオードが設けられ、ランプカバーは塑性材料を成形してなり、ランプカバーは座体上に嵌合される。【選択図】図１
0003169583.tif 000002
【実用新案登録請求の範囲】
【請求項１】
LEDバルブにおいて、
電気コネクタであって、内が凹んで中空状を形成し、中段部分に螺旋溝が環状に設けられた上記電気コネクタと、
座体であって、塑性材料を成形してなり、該座体の下端に環状頸部が連設され、該環状頸部の外周に環状に螺旋溝が形成され、該電気コネクタ内に嵌合される上記座体と、
回路板であって、該座体の上端に設けられ、該回路板上に発光ダイオードが設けられた上記回路板と、
ランプカバーであって、塑性材料を成形してなり、該ランプカバーは該座体上に嵌合される上記ランプカバーと、
を包含したことを特徴とするLEDバルブ。
【請求項２】
請求項１記載のLEDバルブにおいて、該ランプカバー及び該座体の塑性材料はカラー表示を有することを特徴とするLEDバルブ。
【請求項３】
請求項１又は２記載のLEDバルブにおいて、該ランプカバー及び該座体はプラスチック材とされることを特徴とするLEDバルブ。
【請求項４】
請求項１記載のLEDバルブにおいて、該座体に貫通孔が設けられて電線が通されて、該電線が該電気コネクタに接続されることを特徴とするLEDバルブ。
【請求項５】
請求項１記載のLEDバルブにおいて、該座体に複数のフィンが環状に設けられたことを特徴とするLEDバルブ。
【請求項６】
請求項５記載のLEDバルブにおいて、該座体の該フィンは一体成形により設けられたことを特徴とするLEDバルブ。
【請求項７】
請求項１記載のLEDバルブにおいて、該ランプカバーは球形面を形成することを特徴とするLEDバルブ。
【請求項８】
請求項１記載のLEDバルブにおいて、該ランプカバーと該座体の結合方式は嵌合或いは螺合のいずれかとされることを特徴とするLEDバルブ。
【考案の詳細な説明】
【技術分野】
【０００１】
本考案は一種のLEDバルブに係り、特に、電気コネクタ、座体、回路板及びランプカバーの設計により、ランプカバー及び座体がプラスチック成形で形成され、回路板及び電気コネクタが結合されて、重量を軽減し、省エネで、放熱効果が良好で、カラー変化を有し使用の安全性が高い効果を有し、相容する周知のバルブ、省エネバルブ或いは類似のバルブ装置に適用されるものに関する。
【背景技術】
【０００２】
早期のバルブはフィラメントの導電発光を利用し、被覆するランプカバーの材質の多くはガラスとされ、バルブ使用時間が長くなると、全体のバルブが益々熱くなり、且つ自身の消費電力は大きくエコでない。
【０００３】
また、現在の科学技術の発展の下、発光ダイオード（ＬＥＤ）を使用して製造されたバルブが自身の電力消費量が大きくエコでない早期のバルブに代わり使用されるようになった。しかし、LEDバルブは放熱効果の関係から、バルブのＬＥＤ 及び回路板に接近する位置に放熱フィンが設けられて、ＬＥＤの熱エネルギーをスピーディーに散逸させるようにしてある。該放熱フィンのほとんどは、アルミ押し型構造を採用して製作され、ゆえに組立と製造のプロセスが比較的複雑であり、且つ通常、容易に加熱され、ランプカバーを変形させてアルミ押し型材料の密着効果を悪くし、資源回収利用上も比較的不便である。
【０００４】
且つ、アルミ押し型構造を採用して製作したLEDバルブの座体の放熱フィンは、バルブ交換時に、電源未切断或いは電気回路絶縁不良により、漏電或いは感電の危険をもたらしやすい。このため絶縁カバーでアルミ製の座体を被覆すると、フィンの放熱の効果が低くなってしまう。
【０００５】
このため、本考案者は上述の欠点を鑑み、一種の、重量を軽減し、省エネで、放熱効果が良好であり、カラー変化を有し、使用の安全性が高く、製造と組立効率が高く、使用者による取付けが安全で容易であるLEDバルブを提供することを思い立った。
【考案の概要】
【考案が解決しようとする課題】
【０００６】
本考案の主要な目的は、一種のLEDバルブを提供することにあり、それは、電気コネクタ、座体、回路板及びランプカバーを包含し、該座体上端に該回路板が設けられ、該座体下端に環状頸部が連設され、該環状頸部の外周に環状に螺旋溝が設けられ、該電気コネクタ内に嵌合され、該ランプカバーは該座体上に嵌合され、これにより、組立が容易で製造コストが低い効果を有し、さらに全体の実用性が増されたものとする。
【０００７】
本考案の次の目的は、一種のLEDバルブを提供することにあり、それは、ランプカバーと座体がプラスチック一体成形され、座体は絶縁体とされ、バルブの交換或いは取付け時に、電源未切断或いは回路絶縁不良によるLEDバルブの該電気コネクタの接地部分の漏電或いは操作者の感電の危険がなく、これにより全体の安全性が増されたものとする。
【０００８】
本考案のさらに一つの目的は、一種のLEDバルブを提供することにあり、それは、座体が一体成形される時に複数のフィンが環状に設けられ、放熱効果が増され、これにより全体の照明効率と実用性が増されたものとする。
【０００９】
本考案のまた一つの目的は、一種のLEDバルブを提供することにあり、ランプカバー及び座体がプラスチック一体成形され、且つ異なるランプカバーの色に変換可能で、それが重量軽減と色彩増加の効果を有するものとされ、これにより全体の便利性が増されたものとする。
【課題を解決するための手段】
【００１０】
本考案のLEDバルブは電気コネクタ、座体、回路板及びランプカバーを包含し、該電気コネクタは内が凹んだ中空状とされ、中段部分に環状に螺旋溝が形成され、該座体はプラスチック一体成形で形成され、該座体下端部分に環状頸部が設けられ、該環状頸部の外周に螺旋溝が環状に設けられ、該電気コネクタ内に嵌合され、該回路板は該座体の上端に設けられ、該回路板上に発光ダイオードが設けられ、該ランプカバーは塑性材料を成形してなり、該ランプカバーは該座体上に嵌合される。
【考案の効果】
【００１１】
本考案は重量が軽減され、省エネで、放熱効果が良好で、カラー変化を有し使用の安全性が高いLEDバルブとされている。
【図面の簡単な説明】
【００１２】
【図１】本考案の実施例の外観表示図である。
【図２】本考案の実施例の分解図である。
【図３】本考案の実施例の断面図である。
【図４】本考案の実施例のランプカバーの正面図である。
【考案を実施するための形態】
【００１３】
図１から図４を参照されたい。これらは本考案の実施例の表示図である。本考案は一種のLEDバルブであり、電気コネクタ１０、座体２０、回路板３０及びランプカバー４０を包含する。
【００１４】
該電気コネクタ１０は内が凹んで中空状を形成し、その中段外周に環状に螺旋溝１１が設けられている。
【００１５】
該座体２０はプラスチック一体成形で形成され、該座体２０の下端部分に環状頸部２１が連設され、該環状頸部２１に螺旋溝２２が設けられて、該電気コネクタ１０内に嵌合される。
【００１６】
該回路板３０は該座体２０の上端に設けられ、該回路板３０上に発光ダイオード３１が設けられ、該ランプカバー４０は塑性材料で形成され、該ランプカバー４０は該座体２０上に嵌合される。
【００１７】
これにより重量が軽減され多色変化を有するLEDバルブが形成されている。
【００１８】
そのうち、該ランプカバー４０及び座体２０の塑性材料はカラー表示可能である。該ランプカバー４０塑性材料はプラスチックとされる。
【００１９】
また、該座体２０にさらに貫通孔２３が設けられて電線３２が通されて電気コネクタ１０に接続される。
【００２０】
該座体２０にさらに環状に複数のフィン２４が設けられて放熱に用いられる。
【００２１】
且つ該ランプカバー４０は球形面に形成されて、比較的大きな照射面積を提供する。
【００２２】
該ランプカバー４０と該座体２０の結合方式は嵌合或いは螺合のいずれかとされる。
【００２３】
図１から図４を参照されたい。これは本考案の実施表示図及び局部拡大図である。本考案のLEDバルブの最良の実施方式は、電気コネクタ１０、座体２０、回路板３０及びランプカバー４０で現出される。
【００２４】
該電気コネクタ１０は内に凹んで中空状とされ、中段部分に環状に螺旋溝１１が設けられ、これにより電源ソケット（図示せず）に緊密にねじ込まれて電源に電気的に接続される。該電気コネクタ１０は導電材料例えば金属で形成され、電気コネクタ１０の下端部分に一層の環状絶縁樹脂１２が塗布され、これにより電気コネクタ１０が正負の極性の電源との接触から隔離されて、短絡現象の発生が防止される。
【００２５】
また、座体２０自身は塑性材料を一体成形してなり、該塑性材料はプラスチック或いはそれに類似の材質とされ、且つ塑性材料を射出成形する時、異なる色の材料を加えることで、座体２０自身がバルブの発光色に組み合わせられ、外観上、多変化の鮮やかな外表面を有するものとされる。
【００２６】
該座体２０の下端部分には環状頸部２１が連設され、該環状頸部２１の外周に環状に螺旋溝２２が設けられ、環状頸部２１の直径は電気コネクタ１０の直径より小さく、これにより電気コネクタ１０内に嵌合され、並びに電気コネクタ１０内の螺旋溝１１と環状頸部２１の螺旋溝２２が相互にかみ合い、これにより座体２０が強固に電気コネクタ１０に結合される。
【００２７】
また、座体２０の環状頸部２１の上段部分にさらに環状に複数のフィン２４が設けられて放熱に供される。該フィン２４は該座体２０と一体成形され、座体２０はプラスチック材料で形成されるため、全体の重量は軽減され、且つフィン２４が異なる色を加えることで外観を変化させる。
【００２８】
また、該回路板３０は座体２０の上端に設けられ、該回路板３０は螺合或いは嵌合の方式で座体２０と結合され、且つ回路板３０上に正負極性の電線３２が設けられ、該電線３２は座体２０の中間の貫通孔２３をとおり、該貫通孔２３はLEDバルブのその他の電子部品（図示せず）を収容でき、電線３２は該電気コネクタ１０に接続されて外部電源からの電力を提供する。
【００２９】
回路板３０上に発光ダイオード３１が設けられ、該発光ダイオード３１は必要な光源に合わせて複数個が設けられる。そのうち、該発光ダイオード３１は表面実装型（ＳＭＴ）或いはその他の付着の方式により光線を現出する。
【００３０】
また、座体２０上にランプカバー４０が嵌合され、該ランプカバー４０は塑性材料を成形してなり、該塑性材料はプラスチック材料或いはその他の類似の材質とされ、且つ塑性材料を射出成形する時、異なる色を加えることで、座体自身が多変化の鮮やかな外表面を有するものとされる。
【００３１】
該ランプカバー４０と該座体２０の結合方式は嵌合或いは螺合のいずれかとされ、ランプカバー４０と座体２０が強固に結合される。ランプカバー４０の造形は球形面体とされ、ランプカバー４０が比較的大きな面積を照射できるものとされ、光線拡散角度が良好であるものとされる。
【００３２】
こうして、重量が軽減され、省エネで、放熱効果が良好で、多色変化を有し使用の安全性が高いLEDバルブとされている。
【００３３】
以上から分かるように、本考案の構造は以下の実用的な長所を有する。
１．本考案の構造により、省エネで、放熱効果が良好な作用効果を有し、環境保護と使用の安全の要求に符合し、これにより本考案の全体の機能性が増されている。
２．ランプカバーと座体がいずれも塑性材料の一体成形で形成され、それがランプの光の変化に合わせて異なる外観の色を有するものとされ、人目を引き、重量軽減の効果を達成し、これにより本考案の全体の実用性と便利性が増加する。
【００３４】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００３５】
１０  電気コネクタ
１１  螺旋溝
１２  絶縁樹脂
２０  座体
２１  環状頸部
２２  螺旋溝
２３  貫通孔
２４  フィン
３０  回路板
３１  発光ダイオード
３２  電線
４０  ランプカバー
【図１】
0003169583.tif 000003
【図２】
0003169583.tif 000004
【図３】
0003169583.tif 000005
【図４】
0003169583.tif 000006